(57)【要約】【課題】携帯端末を収容する台に外部アンテナケーブルを接続する際の有利な構造を与えることによって、特にテレビジョン機能を備えた携帯端末に、良好な電波環境下で受信した信号を供給するための具体的方途について提案する。【解決手段】携帯端末３を収容する台本体に、外部アンテナケーブルの端子１７が差し込まれる第一端子部１６および、前記携帯端末３の収容時に該携帯端末３と前記第一端子部１６との間に介在し、かつ前記第一端子部１６と電気的に接続する第二端子部１４を備える携帯端末用台１であって、前記台本体は、少なくとも前記第一端子部１６に前記外部アンテナケーブル２の端子が差し込まれた状態において、前記台本体を支持する脚４を設け、該脚４の載置面と前記台本体の底面との間に、前記外部アンテナケーブル２の回転動作が許容される空間ｋを形成する。【選択図】図１５
2007274178.tif 000002
【特許請求の範囲】
【請求項１】
携帯端末を収容する台本体に、外部アンテナケーブルの端子が差し込まれる第一端子部および、前記携帯端末の収容時に該携帯端末と前記第一端子部との間に介在し、かつ前記第一端子部と電気的に接続する第二端子部を備え、前記第一端子部は、差し込まれる前記外部アンテナケーブルの端子を中心とする、外部アンテナケーブルの回転を可能とする構成を有し、前記台本体は、少なくとも前記第一端子部に前記外部アンテナケーブルの端子が差し込まれた状態において、前記台本体を支持する脚を有し、該脚の載置面と前記台本体の底面との間に、前記外部アンテナケーブルの回転動作が許容される空間を有することを特徴とする携帯端末用台。
【請求項２】
前記脚は、前記外部アンテナケーブル端子が前記第一端子部に接続されていない状態下にて前記台本体の内部に収まる第一位置と、前記外部アンテナケーブル端子が前記第一端子部に接続されている状態下にて前記台本体の底面側から突出した第二位置との間において移動可能に設けて成ることを特徴とする請求項１に記載の携帯端末用台。
【請求項３】
前記脚は長さ調整が可能であることを特徴とする請求項１または２に記載の携帯端末用台。
【請求項４】
前記台本体は、さらに、外部電源から延びる電力ケーブルが接続される第三端子部および、該第三端子部と電気的に接続されると共に、前記台本体に収容された前記携帯端末と電気的に接続されて該携帯端末のバッテリーへ電力を供給可能な第四端子部とを有することを特徴とする請求項１ないし３のいずれか１項に記載の携帯端末用台。
【請求項５】
請求項１ないし４のいずれか１項に記載の携帯端末用台と、該携帯端末用台の台本体に収容される放送受信機能を有する携帯端末と、の組み合わせからなる放送受信装置であって、
前記携帯端末は、前記外部アンテナケーブルの端子が前記第一端子部に接続されている状態下における前記台本体収容時に、前記第二端子部と接続する受信端子部を備えることを特徴とする放送受信装置。
【請求項６】
前記携帯端末が前記台本体に収容されると、その収容姿勢が一義的に定まる構成であることを特徴とする請求項５に記載の放送受信装置。
【発明の詳細な説明】
【技術分野】
【０００１】
本発明は、例えば外部アンテナからの放送信号等を携帯端末に供給する中継器となる、携帯端末用台および、該携帯端末用台に携帯端末を組み合わせた放送受信装置に関するものである。
【背景技術】
【０００２】
近年、携帯電話やＰＤＡ（Personal Digital Assistant）を典型例とする携帯端末においても、放送、例えばＶＨＦあるいはＵＨＦテレビジョン放送信号等のテレビジョン放送信号を受信して画像を表示する機能を持つものが製品化されている。いずれの製品も、内蔵アンテナあるいはアンテナ兼用イアホンケーブル等の簡易アンテナを介して、放送信号の受信を行うために、特に屋内の電波環境の悪いところでは、良好な受信状態を得ることが難しかった。その結果、携帯端末上の放送画像並びに音声は、満足する水準にないのが一般的であった。
【０００３】
前記の簡易的なアンテナでは、電波環境の影響を強く受けるが、この点、屋外に設置された外部アンテナを介して受信を行う場合は、アンテナ性能が高い上に、電波環境の影響をほとんど受けることがないため、高品位の放送信号が得られる。
【０００４】
この外部アンテナからの受信を可能とした携帯端末について、特許文献１には、携帯型電子機器をクレードルに装着した際に、該クレードルを介して外部アンテナからの放送信号が供給される装置構成が提案されている。
【特許文献１】特開２００５−７３００５号公報
【発明の開示】
【発明が解決しようとする課題】
【０００５】
ここで、外部アンテナからの受信を可能とするには、外部アンテナから延びるアンテナケーブルをクレードルに接続する必要があるが、この点の構成に関して、特許文献１には具体的に記載されていない。
【０００６】
しかしながら、通常は太径の同軸ケーブルが使用される外部アンテナケーブルを携帯端末に直結するのは携帯端末の機構上困難であるから、クレードルなどの携帯端末を収容する台に外部アンテナケーブルを接続し、この台と携帯端末との接続をはかることが肝要であり、その際、台に外部アンテナケーブルを接続する具体的構造の提示は、製品化に当り不可欠である。
特に、太径の同軸ケーブルは曲げに対して反発力が発生しやすいため、その取り扱いが難しく、かような同軸ケーブルを上手に接続することが重要である。
【０００７】
そこで、本発明は、携帯端末を収容する台に外部アンテナケーブルを接続する際の有利な構造を与えることによって、特にテレビジョン機能を備えた携帯端末に、良好な電波環境下で受信した信号を供給して当該携帯端末を視聴に供するための具体的方途について提案することを目的とする。
【課題を解決するための手段】
【０００８】
すなわち、本発明の要旨は次のとおりである。
（１）携帯端末を収容する台本体に、外部アンテナケーブルの端子が差し込まれる第一端子部および、前記携帯端末の収容時に該携帯端末と前記第一端子部との間に介在し、かつ前記第一端子部と電気的に接続する第二端子部を備え、前記第一端子部は、差し込まれる前記外部アンテナケーブルの端子を中心とする、外部アンテナケーブルの回転を可能とする構成を有し、前記台本体は、少なくとも前記第一端子部に前記外部アンテナケーブルの端子が差し込まれた状態において、前記台本体を支持する脚を有し、該脚の載置面と前記台本体の底面との間に、前記外部アンテナケーブルの回転動作が許容される空間を有することを特徴とする携帯端末用台。
【０００９】
（２）前記脚は、前記外部アンテナケーブル端子が前記第一端子部に接続されていない状態下にて前記台本体の内部に収まる第一位置と、前記外部アンテナケーブル端子が前記第一端子部に接続されている状態下にて前記台本体の底面側から突出した第二位置との間において移動可能に設けて成ることを特徴とする前記（１）に記載の携帯端末用台。
【００１０】
（３）前記脚は長さ調整が可能であることを特徴とする前記（１）または（２）に記載の携帯端末用台。
【００１１】
（４）前記台本体は、さらに、外部電源から延びる電力ケーブルが接続される第三端子部および、該第三端子部と電気的に接続されると共に、前記台本体に収容された前記携帯端末と電気的に接続されて該携帯端末のバッテリーへ電力を供給可能な第四端子部とを有することを特徴とする前記（１）ないし（３）のいずれかに記載の携帯端末用台。
【００１２】
（５）前記（１）ないし（４）のいずれかに記載の携帯端末用台と、該携帯端末用台の台本体に収容される放送受信機能を有する携帯端末と、の組み合わせからなる放送受信装置であって、
前記携帯端末は、前記外部アンテナケーブルの端子が前記第一端子部に接続されている状態下における前記台本体収容時に、前記第二端子部と接続する受信端子部を備えることを特徴とする放送受信装置。
【００１３】
（６）前記携帯端末が前記台本体に収容されると、その収容姿勢が一義的に定まる構成であることを特徴とする前記（５）に記載の放送受信装置。
【発明の効果】
【００１４】
本発明によれば、携帯端末を収容する台に外部アンテナケーブルを接続する際に有利な構造を具体的に与えることができる。特に、太径の同軸ケーブルが一般的である外部アンテナケーブルの接続を取り回し良く行えるため、室内に既設されている同軸ケーブルからの放送信号の供給が可能になる。
【００１５】
従って、テレビジョン機能を備えた携帯端末に高品位の放送信号が供給されるため、携帯端末においても鮮明な画像を享受することが可能になる。また、ノイズの影響のほとんどない状態で放送信号を受信できるため、録音および録画にも充分な電波環境を提供することができる。
【発明を実施するための最良の形態】
【００１６】
以下、本発明に携帯端末用台について、図面を参照して詳しく説明する。
まず、図１に示すように、本発明に従う携帯端末用台１は、外部アンテナケーブル２を接続した状態において、携帯電話として例示する携帯端末１を収容（装着）して使用に供するものである。
すなわち、携帯端末用台１は、図２に分解して示すように、外部アンテナケーブル２との接点となる第一端子部を配したロアケース１０上に、信号中継基板１１および端子受け材１２、次いで充電器として兼用する場合の電源回路等を組み込んだ携帯端末の装着ボード１３、そして第二端子部１４を積層配置し、これらを内包するアッパーケース１５をロアケース１０に固定して成る。
【００１７】
図３に示すように、ロアケース１０に配した第一端子部１６は、ロアケース１０の底面に臨ませて配置し、ケース１０の底面側から外部アンテナケーブル２の端子が差し込まれる。
すなわち、図示の第一端子部１６は同軸コネクタ構造を有し、めす型の中心コンタクト１６ａの外側に外部コンタクト１６ｂおよびフランジ１６ｃを同軸的に配置して成り、図４に示すように、外部アンテナケーブル２の端子であるプラグ１７のおす型の中心コンタクト１７ａを第一端子部１６の中心コンタクト１６ａに、そしてコンタクトリング１７ｂを第一端子部１６の中心コンタクト１６ａ外側の外部コンタクト１６ｂに、それぞれ差し込むことによって、第一端子部１６とプラグ１７との電気的接続がはかられる。
【００１８】
前記接続によって第一端子部１６に入力された放送信号およびグランドは、図５に示すように、例えば１芯シールドケーブル１６ｄを介して中継回路１８に一旦入力され、この中継回路１８の出力端子から１芯シールドケーブル１８ａを介して第二端子部１４に入力される。
このようにして、第１端子部１６と第２端子部１４は電気的に接続されている。
【００１９】
第二端子部１４は、図５、さらには図６に示すように、その突条１４ａが両サイドに形成されており、アッパーケース１５の凹溝にスライド自在に取り付けてアッパーケース１５の携帯端末３装着面Ｓに対して進退する向きに移動可能とし、さらに第二端子部１４の底部を端子受け材１２にて支持することによって前記可動範囲を制御する。なお、第二端子部１４の頭部は、放送信号の出力端子部となる中心コンタクト突起１４ｂとグランドの出力端子部となる外部コンタクト１４ｃとの同軸コネクタ構造になる。
【００２０】
一方、端子受け材１２は、図２に示したように、第二端子部１４の底部を直接支持する受皿１２ａと脚部１２ｂとから成る。そして、この脚部１２ｂの受皿１２ａ側に形成した突起１２ｃを、図５に示すように、第一端子部１６の円筒状フランジ１６ｃの周壁に設けた母線方向に延びる切り欠き１６ｅに嵌め込むことによって、端子受け材１２を第一端子部１６に前記母線方向の移動が可能に取り付けている。
【００２１】
また、第一端子部１６の外部コンタクト１６ｂにおける外周部の円弧の一部分を平面状に形成することによって、図３に示すように、フランジ１６ｃ内周壁との隙間１６ｆに、前記切り欠き１６ｅに嵌め込まれた突起１２ｃの一部を配置する。
【００２２】
以上の構成になる端子受け材１２並びに第二端子部１４は、図７に示すように、前記外部アンテナケーブル２のプラグ１７が第一端子部１６に接続されていない場合、第二端子部１４の頭部までが前記アッパーケース１５の携帯端末３装着面Ｓより台内側の格納位置に収まっている。
この状態における、プラグ１７、第一端子部１６、端子受け材１２および第二端子部１４の相互配置は、図３におけるＡ−Ａ線に沿う断面を含む図８（ａ）に示すとおりである。
【００２３】
次に、図９に示すように、外部アンテナケーブル２のプラグ１７を第一端子部１６に接続するに当って、外部コンタクト１６ｂとフランジ１６ｃとの間に、プラグ１７のコンタクトリング１７ｂを差し込むと、このコンタクトリング１７ｂの先端部が前記隙間１６ｆ内の突起１２ｃを押して端子受け材１２を装着面Ｓ側に移動させ、この移動に連れて端子受け材１２で支持されている第二端子部１４も装着面Ｓ側に移動される結果、第二端子部１４の頭部が装着面Ｓから突出する接続位置まで変化する。
この状態における、プラグ１７、第一端子部１６、端子受け材１２および第二端子部１４の相互配置は、図８（ｂ）に示すとおりである。
【００２４】
以上述べたように、携帯端末用台１は、外部アンテナケーブル２のプラグ１７を第一端子部１６に差し込むことに連動して、格納位置にあった第二端子部１４の接点となる頭部が装着面Ｓから突出するため、この頭部の視認によって外部アンテナケーブルのプラグ１７の接続確認が容易に行えるため、携帯端末用台１が例えば放送受信可能な状態にあることが一目瞭然となる。
【００２５】
かように、放送受信可能な状態にある携帯端末用台１には、図１０および図１１に示すように、携帯端末３を装着して該携帯端末３の画面を介して放送画像を観賞することになる。すなわち、第二端子部１４の頭部が突出した状態（接続位置）にある携帯端末用台１に、携帯端末３を装着すると、第二端子部１４の頭部に携帯端末３の受信端子部１９が嵌り合い、外部アンテナケーブル２からの放送信号の入力が可能になる。
【００２６】
すなわち、携帯端末３の受信端子部１９は、図１２に示すように、第二端子部１４の中心コンタクト突起１４ｂが嵌り合う凹部内に中心コンタクトボタン１９ａを有し、同外部コンタクト１４ｃの接触域に外部コンタクトボタン１９ｂを有する。これらボタン１９ａおよび１９ｂは、例えば受信端子本体側に固定した、ばね（図示せず）を介して第二端子部１４側に付勢されていて、第二端子部１４の頭部が嵌められると、中心コンタクトボタン１９ａおよび外部コンタクトボタン１９ｂとの間で適度の接触圧を保持したまま、第二端子部１４の頭部に押される。
【００２７】
特に、中心コンタクトボタン１９ａが第二端子部１４の中心コンタクト突起１４ｂに押されると、図１２（ｂ）に仮想線で示すように、その変位がそのままスイッチ１９ｃにおける変位となる。このスイッチ１９ｃは、内蔵アンテナへの接続状態又は非接続状態を切り替えるスイッチである。このように、図１２（ｂ）における仮想線側に変位することにより、内蔵アンテナとの接続状態が切断され、第二端子部１４の中心コンタクト突起１４ｂからの放送信号がテレビジョンモジュール側へ入力されることになる。ここでの回路は、図１３に示すとおりである。
【００２８】
従って、携帯端末３を携帯端末用台１に装着すれば、内蔵アンテナを介して放送受信を行う通常使用形態から、外部アンテナからの良好な信号を受信する回路に切り替わり、高品位の放送画像が再現される、据え置き型のテレビジョン装置としての使用形態に、簡単に移行することができる。
【００２９】
上述したとおり、携帯端末用台１は、外部アンテナケーブル２を接続した状態において機能するものであり、外部アンテナケーブル２として太径の同軸ケーブルの接続が主に想定されるところ、かような太径の同軸ケーブルの装着構造について、以下に詳しく説明する。
すなわち、携帯端末用台１では、ロアケース１０の底面に設けた第一端子部１６に、外部アンテナケーブル２の端子を差し込むが、その際、図１４に示すように、差し込み後の外部アンテナケーブル２の端子を中心として外部アンテナケーブル２の回転を可能に構成することが肝要である。
【００３０】
なぜなら、携帯端末用台１の載置場所や外部アンテナケーブル２の設置場所等によって、携帯端末用台１と外部アンテナケーブル２との相対位置は様々に変化するから、外部アンテナケーブル２の回転が可能であれば、外部アンテナケーブル２の設置場所によって、携帯端末用台１の載置場所が制約されることが少なくなり、特に携帯端末用台１の使用者に対する向きを自由に選択することが可能になるからである。
【００３１】
本実施形態における外部アンテナケーブル２の回転は、外部アンテナケーブル２の端子が第一端子部１６に差し込まれた状態において、図４に示されるプラグ１７のコンタクトリング１７ｂが、プラグ１７のおす型の中心コンタクト１７ａを中心として、外部コンタクト１６ｂの外周部を回転することにより実現される。なお、この回転構造は一例であり、外部アンテナケーブル２の端子が第一端子部１６に接続された状態において、外部アンテナケーブル２の端子（プラグ１７）が携帯端末台１に対して回転できるような構造であればよい。
【００３２】
さらに、外部アンテナケーブル２の回転を可能とするに当り、図１、２、８および１０、そして図１５に示すように、ロアケース１０の底面から突出して台１を支持する、図示例で４本の脚４を設けて、該脚４の載置面とロアケース１０の底面との間に、外部アンテナケーブル２の回転動作が許容される空間ｋを形成することが好ましい。そのためには、当然、外部アンテナケーブル２の端子厚みおよびケーブル径のいずれか大きい方よりも、脚４の長さが長いことが必要になる。
このように構成することによって、外部アンテナケーブル２は、空間ｋの範囲内で回転させることが可能になる。
【００３３】
ここで、図１５に示した脚４は、基部４ａに脚本体４ｂを嵌め込み可能になり、例えば粘着テープ４ｃを介して卓上に固定した基部４ａに脚本体４ｂを嵌め込むことによって、携帯端末用台１を載置面、例えば卓上に固定することができる。
【００３４】
また、脚４は、前記外部アンテナケーブル２の端子１７が携帯端末用台１の第一端子部１６に接続されていない状態下にて台１の内部に収まる第一位置と、前記外部アンテナケーブル２の端子１７が前記第一端子部１６に接続されている状態下にて前記台１の底面側から突出した第二位置との間において移動可能に設けることが、より好ましい。
【００３５】
具体的には、図１６および１７に示すように、ロアケース１０の底面を挟む該ケースの内外の向きに進退可能に脚４を４本設け、ケース１０片側の２本の脚４を一組として、各組の２本の脚４を２本のビーム４１および４２を介して繋ぐ。すなわち、ビーム４１および４２は、その一端をそれぞれ脚４の先端に回動可能に固定し、ビーム４１および４２の他端寄りの中間部にケース１０側に固定された支点４３を設け、他端を回動可能に軸４４で連結して成る。
【００３６】
なお、支点４３は、図１８に示すように、ロアケース１０から延びるリブ１０ａとアッパーケース１５から延びるリブ１５ａとで挟持し、図１９に示すように、ビーム４１および４２は支点４３を中心に回動可能とする。
【００３７】
連結軸４４は、図１７に示すように、ケース１０両側に配置したビーム４１および４２の一方側と他方側に共通した軸であり、２組のビーム４１および４２、ひいては４本の脚４は、連結軸４４を軸にして回動可能に構成される。さらに、この連結軸４４に、ロアケース１０に一端が固定された圧縮ばね等の付勢部材４５の他端を固定することによって、連結軸４４を図中の矢印４６の向きに常時押して、ビーム４１および４２の一端に固定された脚４を矢印４７方向に引き上げることによって、脚４をロアケース１０の内側に収容しておく（図１８（ａ）参照）。
【００３８】
次に、前記外部アンテナケーブル２の端子１７を第一端子部１６に接続した際に脚４を突出させる構造について説明する。すなわち、前記連結軸４４は、上述した第二端子部１４の移動操作に寄与させる端子受け材１２に繋ぎ材４９を介して一体化され、上述した外部アンテナケーブル２の端子１７の差し込み動作に連動して移動する端子受け材１２に、連結軸４４を従動させる仕組みが与えてある。従って、外部アンテナケーブル２の端子１７を第一端子部１６に差し込むと、端子受け材１２が押される結果、第二端子部１４と共に連結軸４４も付勢部材４５の付勢力に抗して矢印４８の向きに移動する。すると、ビーム４１および４２が支点４３を中心に回動する結果、ビーム４１および４２の一端側が矢印５０の向きに移動し、４本の脚４はロアケース１０の底面から外部に向かって突出することになる。外部アンテナケーブル２の端子１７が第一端子部１６に接続している間は、脚４の突出状態は維持され、端子１７を外せば、前記付勢部材４５の作用によって、脚４はロアケース１０の内側に収容される。
このように構成することによって、外部アンテナケーブル２を接続する必要のない場合には、脚４はロアケース１０の内側に収容されることとなり、携帯端末用台をコンパクトに扱うことができる。
【００３９】
なお、脚４には、上述した収納と突出とを繰り返す際の出し入れを円滑に行うために、例えば図２０に示す凸条のガイド４０を形成し、ロアケース１０に設けたスリット（図示せず）で案内することによって、出し入れ時の回転やがたつきを抑えることが好ましい。
【００４０】
さらに、前記脚４は長さ調整が可能であることが有利である。すなわち、図２１（ａ）から同図（ｂ）に脚４の長さ変化を示すように、脚４は中空円柱状の案内筒５１内に滑動自在に挿入される支持軸５２の先端を、例えば卓上に載置される基部５３に固定してなり、支持軸５２に対して案内筒５１を軸方向に移動することによって、脚４を伸縮自在に構成する。
【００４１】
ここに、図２２に示すように、案内筒５１の周壁に案内溝５４を形成する一方、支持軸５２には半径方向外方に突出するロック５５を形成し、このロック５５を案内溝５４に沿って移動することによって、支持軸５２に対して案内筒５１を軸方向に移動する。案内溝５４は、軸方向に延びる主溝５４ａとこの主溝５４ａの中間部および終端部から分岐する２本の副溝５４ｂおよび５４ｃとからなり、図２３（ａ）に示すように、ロック５５が主溝５４ａの始端に止まるとき、案内筒５１内に支持軸５２が収容された状態にある。ここから脚４を伸ばすために、支持軸５２に対して案内筒５１を軸方向に移動すると、ロック５５は主溝５４ａに沿って移動し、所望の長さまで脚４を伸ばしたら、図２３（ｂ）に示すように、支持軸４２を回して副溝５４ｂまたは５４ｃにロック５５を案内し、いずれかの副溝の終端にロック５５を配置する。副溝の終端にあるロック５５には、台１の荷重が加わっているため、ロック５５は副溝の終端に固定される結果、脚４は伸長状態で固定される。
従って、脚４の伸長を３段階以上に調整する場合は、前記副溝の本数を３本以上とすればよい。
【００４２】
一方、図２４および２５に示すように、支持軸５２の基部５３側の端部には球５６を取り付け、この球５６を基部５３の設けた球殻５７で回動可能に受ける構造とする。この構造によって、支持軸５２が基部５３から抜け出るのを防ぐと共に、支持軸５２を基部５３に対して傾けることが可能になるため、図２１（ｂ）に示したような片側の脚４を伸長する態様など、携帯端末用台１を載置する面に左右されない自由度の高い、台の設置を実現できる。
【００４３】
さらにまた、図１０に示すように、携帯端末用台１は、外部電源から延びる電力ケーブル（図示せず）が接続される第三端子部６１および、該第三端子部６１と電気的に接続されると共に、前記台本体に収容された前記携帯端末３に設けた充電端子部６２と電気的に接続されて該携帯端末３のバッテリー（図示せず）へ電力を供給する第四端子部６３とを有することが好ましい。
このような構造を採用することにより、外部電力を携帯端末３に供給することが可能となり、消費電力の大きい放送画像の表示等を、携帯端末３のバッテリー残量を気にすることなく、安心して実施することができる。
【００４４】
なお、本電力供給構造については、例えば特開2005−287198号公報に示されるような、第三端子部６１および第四端子部６３とが電気的に接続されていると共に、台本体に収容された携帯端末３の充電端子６２とも電気的に接続される構造であればよく、図１０に示した構成に限定されるものではない。
【００４５】
以上で説明した携帯端末用台１に、放送受信機能を有する携帯端末３を組み合わせることによって、鮮明な画像および／あるいは音を享受できる放送受信装置が提供される。その際、携帯端末として、例えばストレートタイプのような、携帯端末自体に可動機構を持たない、画像表示部が端末本体に対して固定されている機種を用いる場合、携帯端末用台１にこの種の携帯端末が収容された際、当該画像表示部の携帯端末用台１に対する相対位置は一義的に定まることとなる。そのため、本発明のように、外部アンテナケーブルの接続を取り回し良く行うことができ、自由度の高い設置位置を実現できる携帯端末用台に、このストレートタイプのような携帯端末が収容される構成をとれば、携帯端末に固定的に備えられた画像表示部の端末用台１に対する相対位置は一義的に定まることになるが、当該携帯端末台の設置位置を自由に変えることにより、画像表示部の使用者に対する向きも自由に選択することができる。
【００４６】
なお、本発明は本実施形態に限定されるものではなく、本発明の要旨を変更しない範囲内で種々の変更が可能である。例えば、本実施形態では第一端子部１６は、携帯端末用台１のロアケース１０の底面に臨ませて配置され、第一端子部１６に差し込まれた外部アンテナケーブル２は、プラグ１７が携帯端末台１に対して回転可能になるように携帯端末台１に接続されるように構成されているが、本発明は本構成に限られることはない。例えば、第一端子部１６は携帯端末用台１のロアケース１０の底面以外の場所に配置されていてもよい。ただしこの場合にも、携帯端末台１に接続される外部アンテナケーブル２（プラグ１７）の回転軸が、携帯端末用台１の設置場所の面に対して平行方向以外の方向に延びるように、外部アンテナケーブル２（プラグ１７）が携帯端末台１に接続される構成である必要がある。このように、外部アンテナケーブル２（プラグ１７）が設置場所の面と平行な方向以外の方向に延びる回転軸を中心に回転するように携帯端末台１に接続されるように構成することで、携帯端末用台１の設置場所を当該回転構成により決定させることができると共に、携帯端末用台１の向きを調整する場合における、外部アンテナケーブル２の携帯端末台１に与える影響を低減することができる。すなわち携帯端末台１の使用者に対する向きを好適に選択することが可能になる。
【図面の簡単な説明】
【００４７】
【図１】携帯端末を装着した携帯端末用台を示す斜視図である。
【図２】本発明の携帯端末用台の分解斜視図である。
【図３】携帯端末用台の底面図である。
【図４】外部アンテナケーブルの端子を差し込む第一端子部の構造を示す図である。
【図５】第一端子部および第二端子部の組み付け構造を示す図である。
【図６】第二端子部とその端子受け材とを示す図である。
【図７】外部アンテナケーブルのプラグを差し込む前の第二端子部の位置を示す図である。
【図８】図３におけるＡ−Ａ線に沿う断面を含む台の底面側からの斜視図である。
【図９】外部アンテナケーブルのプラグ差し込み後の第二端子部の位置を示す図である。
【図１０】携帯端末の受信端子部と第二端子部との嵌め合いを示す図である。
【図１１】携帯端末の受信端子部と第二端子部との嵌め合い部分の拡大図である。
【図１２】携帯端末の受信端子部の構造を示す図である。
【図１３】受信端子部の受信切り替え用の回路を示す図である。
【図１４】携帯端末用台に接続した外部アンテナケーブルの回転動作を示す図である。
【図１５】携帯端末を装着した携帯端末用台の側面図である。
【図１６】携帯端末用台の脚を収納および突出するための構造を示す図である。
【図１７】携帯端末用台の脚を収納および突出するための構造を示す図である。
【図１８】携帯端末用台の脚を収納および突出するための構造の詳細を示す図である。
【図１９】携帯端末用台の脚を収納および突出するための構造の詳細を示す図である。
【図２０】携帯端末用台の脚の詳細を示す図である。
【図２１】携帯端末用台の脚の伸縮を示す図である。
【図２２】携帯端末用台の脚の伸縮構造を示す図である。
【図２３】携帯端末用台の脚の伸縮構造を示す図である。
【図２４】携帯端末用台の脚の詳細を示す図である。
【図２５】携帯端末用台の脚の詳細を示す図である。
【符号の説明】
【００４８】
１  携帯端末用台
２  外部アンテナケーブル
３  携帯端末
４  脚
１０  ロアケース
１１  信号中継基板
１２  端子受け材
１３  装着ボード
１４  第二端子部
１５  アッパーケース
１６  第一端子部
１７  プラグ
【図１】
2007274178.tif 000003
【図２】
2007274178.tif 000004
【図３】
2007274178.tif 000005
【図４】
2007274178.tif 000006
【図５】
2007274178.tif 000007
【図６】
2007274178.tif 000008
【図７】
2007274178.tif 000009
【図８】
2007274178.tif 000010
【図９】
2007274178.tif 000011
【図１０】
2007274178.tif 000012
【図１１】
2007274178.tif 000013
【図１２】
2007274178.tif 000014
【図１３】
2007274178.tif 000015
【図１４】
2007274178.tif 000016
【図１５】
2007274178.tif 000017
【図１６】
2007274178.tif 000018
【図１７】
2007274178.tif 000019
【図１８】
2007274178.tif 000020
【図１９】
2007274178.tif 000021
【図２０】
2007274178.tif 000022
【図２１】
2007274178.tif 000023
【図２２】
2007274178.tif 000024
【図２３】
2007274178.tif 000025
【図２４】
2007274178.tif 000026
【図２５】
2007274178.tif 000027